(57)【要約】  板状の素材用の支持台（１）は、個々の担持部材が連結して構成された連結ベルト（３）により形成された大きさが可変の支持面（２）を有し、該支持面はその端部が台枠（７）に載置され、方向転換ロール（５）によって台枠に沿って動くように構成されている。連結ベルト（３）はそれぞれがボルトを有する搬送チェーンを両側に備えている。
2008546544.tif 000002
【特許請求の範囲】
【請求項１】
個々の担持部材（４）が連結して構成された連結ベルト（３）により形成された大きさが可変の支持面（２）を有し、該支持面はその端部が台枠（７）に載せられ、方向転換ロール（５）によって台枠（７）に沿って動く板状の素材用の支持台（１）であって、
連結ベルト（３）はそれぞれがボルト（８）を有する搬送チェーン（６）を両側に備え、外側の鎖のリンク（９）のボルト（８）は担持部材（４）に配置され、ボルト（８）の担持部材（４）に向いた部分は担持部材（４）に固定され、ボルト（８）の台枠（７）に向いた部分はボルト（８）の軸方向に可動な台枠（７）と選択的に重なり合う滑り部材（１２）を備えていることを特徴とする大きさが可変の支持面を有する支持台。
【請求項２】
滑り部材（１２）の端部は、ボルト（８）に対して滑り可能に装着されていることを特徴とする請求項１に記載の大きさが可変の支持面を有する支持台。
【請求項３】
滑り部材（１２）は、突起により軸方向に限定的に可動であることを特徴とする請求項２に記載の大きさが可変の支持面を有する支持台。
【請求項４】
滑り台（１２）は強制的に案内されることを特徴とする請求項１ないし請求項３のいずれか１項に記載の大きさが可変の支持面を有する支持台。
【請求項５】
滑り部材（１２）は、垂直軸の周りを回転する曲線状のガイド（１４）と噛合っている案内車輪（１３）を下側に備えていることを特徴とする請求項４に記載の大きさが可変の支持面を有する支持台。
【請求項６】
曲線状のガイド（１４）は、方向転換ロール（５）と共に台枠（７）に沿って移動し、方向転換ロールの軸に固定されていることを特徴とする請求項５に記載の大きさが可変の支持面を有する支持台。
【請求項７】
滑り部材（１２）が台枠（７）上に載っていることを特徴とする請求項１ないし請求項６のいずれか１項に記載の大きさが可変の支持面を有する支持台。
【請求項８】
ボルト（８）の担持部材（４）に向いた部分は、それぞれの担持部材（４）の下側に固定された連結部材（１８）に保持されていることを特徴とする請求項１ないし請求項７のいずれか１項に記載の大きさが可変の支持面を有する支持台。
【発明の詳細な説明】
【技術分野】
【０００１】
本発明は、個々の担持部材が連結して構成されたベルトにより形成された大きさが可変の支持面を有し、該支持面はその端部が台枠に載置され、方向転換ロールによって台枠に沿って動く板状の素材用の支持台に関する。
【背景技術】
【０００２】
そのような支持台及びその装備は、国際公開０３／０１６００４Ａ１号パンフレットに記載されている。支持台は重い素材を受けるので、連結ベルトが方向転換ロールの回りを下方へ移動するか又は方向転換できるように、連結ベルトは十分に安定に配置でき且つその配置が簡単に解除できることが要求される。
【０００３】
米国特許第３２６２３４８号明細書には上述の支持台が開示され、担持部材の孔内に配置された滑り部材が台枠の凹部と噛合っている。滑り部材は孔内に軸方向に沿ったバネ部材を備えている。担持部材の孔内を走行するベルトにより搬送が行われる。ここで記載された支持台は布用であり、重い板状の素材用ではないので、その設置には比較的に費用を要する一方で、孔を通ることで支持面の搬送力が弱まる結果となる。
【発明の開示】
【発明が解決しようとする課題】
【０００４】
本発明の課題は、板状の重い素材に適した支持面を備え、安価で部品が少なく作動の確実な支持台を提案することである。
【課題を解決するための手段】
【０００５】
上記課題は、主請求項に記載の支持台により解決される。更に、その他の特徴は従属項に記載されている。
【発明を実施するための最良の形態】
【０００６】
本発明による支持台は、突出するボルトを含んで構成される両側に搬送チェーンを有する連結ベルトを備えている。このような搬送チェーンは上市されており、両側のボルトは鎖のリンクを貫通している。外側のリンクのボルトはそれぞれの担持部材に配置されている。このため安定化されたリンクが担持部材に固定され、特に内側のリンクに関連して時間の経過に伴って生じた鎖の伸びは担持部材には影響を及ぼさない。ボルトの担持部材に向いた部分は担持部材に固定され、ボルトの支持台に向いた部分は台枠と選択的に重なり合うことができるようにボルトの軸方向に可動な滑り部材を備えている。
【０００７】
この配置では、ボルトはそれぞれの担持部材と強固に連結可能なので、個々の担持部材は弱められない。更に、ボルトにより大きな搬送能力が得られる。担持部材に配置されたボルトの軸方向に可動な滑り部材が簡単に取り付け可能となり同様に搬送能力が増大する。滑り部材は、その端部をボルトに装着、固定して簡単に組み立てできる。滑り部材はボルトの軸方向に可動な行程が制限されることが好ましく、専門家により種々に対処される。ボルトの回りの凹部にバネ環を挿入する簡単な方法も可能である。
【０００８】
本発明では、更に発展させて滑り部材を強制的に案内する方法も可能である。強制的な案内は、適当な方法で支持台に配置した二重又は単一の曲線状のガイドにより実行される。滑り部材は、下側に案内部材、好ましくは案内ガイドと噛合う垂直軸回りを回転する案内車輪を備えている。騒音を避けるために、案内車輪は硬質ゴムで形成してもよい。案内車輪は、滑り部材が双方方向に確実に案内されるように、曲線状のガイドの２つの案内レール間を走行させることが好ましい。１つの案内レールを用いる場合には、バネ手段による復元力が必要であり、支持台の組立てに手間がかかる。
【０００９】
大きさが可変の支持面を有する支持台の機能を維持するのに必要なので、曲線状のガイドと方向転換ロールの動きが確実に同調するように、曲線状のガイドを方向転換ロールの軸と連結して該ロールと共動させる。
【００１０】
担持部材は故障無く台枠に保持されるか又は下方に動かすことができるので、滑り部材は台枠の上に載せられる。担持部材が台面から移動したり、台面へと移動する縁部には故障が発生しないので、滑り部材に斜めの縁部を付け加えるか又はそれに相当する案内斜面を備えてもよい。このような斜面によって、方向転換域における担持部材への摩擦が最小限に抑えられる。
【００１１】
更に別の形態では、ボルトの担持部材に向いた部分が、支持面の下方の個々の担持部材に下方から固定された連結部材に固定される。個々の担持部材は、断面がＴ字状か又は負荷に十分に耐える適当な断面形状を備えてもよい。
【００１２】
従って、本発明による支持台は、簡単に製造、組立てが可能で、担持部材又は滑り部材などの破損した部材は簡単に交換が可能で且つ担持部材は鎖のリンクに遊び無く固定できることが際立っている。簡単に動く担持部材は、上方へ動く際に支持面上に載った素材に打ち当たることがあるので、この遊びの無い固定は重要である。鎖のリンクの一側面に支持面を且つ鎖のリンクのもう他方の側面の台枠に搬送面を配置すること並びにボルトに固定することによってこれらの面は互いに外された状態になる。
【実施例】
【００１３】
以下、図面を用いて、本発明による実施例の詳細を説明する。
【００１４】
図１には、大きさが可変の支持面２を有する支持台１の基本的な装備が示されている。該支持面は、個々の担持部材４から構成される連結ベルト３により形成され、担持部材４はその端面が、台枠７に沿って可動な方向転換ロール５によって案内される搬送チェーンに固定されている。例えば支持面上の板状の素材を分断する分断装置の方向転換ロール５の間に形成された空隙を変更できる。
【００１５】
図２及び図４は、１つの担持部材４と方向転換ロール５との位置関係がいわゆる“１２時”の状態を示している。担持部材４は、鎖の外側のリンク９及び内側のリンク１０の回転軸を貫通している２つのボルト８によって支えられている。ボルト８は不図示の締め付けネジにより、ネジ結合１１により担持部材４に連結された連結部材１８に固定されている。鎖のリンク９、１０の側部には、可動の滑り部材１２が配置され、その下側には垂直軸回りを回転する、好ましくは硬質ゴム製の案内車輪１３が備えられている。該案内車輪は、滑り部材１２を拘束して案内する曲線状のガイド１４内を走行する。図では、滑り部材１２を拘束して案内する曲線状のガイド１４の一部のみが示されている。該ガイドは方向転換ロール５の近傍において、台の面よりも下方において延びている。該ガイドにおいて案内車輪１３は拘束なく走行するか、又は不図示の漏斗状の曲線状ガイドにより拘束される。曲線状のガイド１４は台枠７に沿って方向転換ロールと共に移動する。
【００１６】
図３及び図５は、担持部４の滑り部材１２が台枠７の上に載った状態を示している。この状態は、滑り部材１２の下側の案内車輪１３が走行する曲線状のガイド１４によってもたらされる。
【００１７】
滑り部材１２は、ボルト８を収納する長い孔並びの図６に拡大して示されるように凹部１５を備えている。滑り部材１２はボルト８に係止され、溝に挿入されたバネ環１６により固定される。そのため、滑り部材１２のストローク幅が凹部１５により制限される。
【００１８】
本発明による実施例では、担持部材は図７に示されるように、断面がＴ字状に形成され、ボルト８は、ネジ部材１１を用いて中央脚部１７の両側の連結部材１８中に固定される。
【図面の簡単な説明】
【００１９】
【図１】大きさが可変の支持面を有する支持台の配置を模式的に示す断面図
【図２】滑り部材を取付けた担持部材を有する支持台の詳細な断面図
【図３】図２における滑り部材が張り出した状態を示す断面図
【図４】図２に対応する平面図
【図５】図３に対応する平面図
【図６】滑り部材の拡大平面図
【図７】図４及び図５の担持部材のＡ−Ａで切断した拡大断面図
【図１】
2008546544.tif 000003
【図２】
2008546544.tif 000004
【図３】
2008546544.tif 000005
【図４】
2008546544.tif 000006
【図５】
2008546544.tif 000007
【図６】
2008546544.tif 000008
【図７】
2008546544.tif 000009
【国際調査報告】
2008546544.tif 000010
2008546544.tif 000011
2008546544.tif 000012
2008546544.tif 000013